(57)【要約】【課題】ラップフィルム装置の蓋体が弾性復元力により蓋体を閉じる方向へ回動し切断刃と人手とが接触する危険を防止する。【解決手段】ラップフィルム装置は、箱体２、箱体２内に収容されるラップフィルムのロール５並びに箱体から引出されたラップフィルム３１を切断可能な切断刃２０を含む。箱体２は、厚紙製の箱本体３及び箱本体の上部開口３８を開放可能に閉じる厚紙製の蓋体４を有する。蓋体４は、後壁１４の上辺に折曲げ部４３を介し連接される天板１７、及び天板から垂下する蓋前壁１８を有し、前記切断刃２０は、蓋前壁１８の下辺に沿って刃先２１が配置される。前記折曲げ部４３は、前記箱体２の外側に凸部を有するように型押しされたものである。【選択図】    図３
2007254027.tif 000002
【特許請求の範囲】
【請求項１】
厚紙製の箱本体（３）及び箱本体の上部開口（３８）を開放可能に閉じる厚紙製の蓋体（４）を有する箱体（２）、箱体内に収容されるラップフィルムのロール（５）並びに箱体から引出されたラップフィルム（３１）を切断可能な切断刃（２０）を含むラップフィルム装置であって、
前記箱本体（３）は箱前壁（１２）、後壁（１４）及び底壁（１３）並びに対向する２つの端壁（１５）を有し、箱本体の上部開口（３８）は箱前壁及び後壁並びに対向する２つの端壁の各上辺によって囲まれ、前記蓋体（４）は後壁の上辺に折曲げ部（４３）を介して連接される天板（１７）、及び蓋体が閉位置にあるとき天板から箱前壁に平行に垂下する蓋前壁（１８）を有し、前記切断刃は蓋前壁の下辺に沿って刃先（２１）が配置され、
前記折曲げ部（４３）は、端壁に平行な断面において、前記箱体の外側に凸部（４３１）を有すると共に箱体の内側に凹部（４３２）を有することを特徴とするラップフィルム装置。
【請求項２】
前記天板（１７）が折曲げ部（４３）のまわりに上部開口（３８）を開ける方向へ後壁（１４）の延長面（１６）を越えて後方位置へ回動されたとき蓋体（４）が折曲げ部（４３）の弾性復元力により後方位置から上部開口を閉じる方向へ角度９０°以下だけ回動するように折曲げ部の前記凸部（４３１）及び凹部（４３２）が構成されることを特徴とする請求項１のラップフィルム装置。
【請求項３】
前記折曲げ部（４３）は、溝（８１）を有する第１の型板（８０）と溝に対向する突条（９１）を有する第２の型板（９０）の間において折曲げ部を形成すべき厚紙の部分を型押ししたものであることを特徴とする請求項１のラップフィルム装置。
【請求項４】
前記箱体（２）を形成する厚紙は複数層から成り、箱体外面側の層が最も緻密であることを特徴とする請求項１のラップフィルム装置。
【請求項５】
前記蓋前壁（１８）の下辺に沿って配置される刃先（２１）は、前記蓋前壁の下辺の中央部付近に頂点（２２）を有するＶ字形のものであることを特徴とする請求項１のラップフィルム装置。
【請求項６】
前記蓋体（４）と後壁（１４）との間の折曲げ部（４３）以外の折曲げ部（４１、４２、４４）は、箱体の内側に凸部を有するように型押しされたものであることを特徴とする請求項１のラップフィルム装置。
【請求項７】
前記箱体（２）の全ての折曲げ部（４１−４４）の凹部及び凸部が箱体を組立てる前に型押しにより形成される請求項１乃至６のいずれか1項のラップフィルム装置。
【発明の詳細な説明】
【発明の属する技術分野】
【０００１】
本発明は、食品包装に使用されるラップフィルムのロールを箱体内に収容し、箱体外へラップフィルムを引出し可能としたラップフィルム装置に関し、より詳しくは、ラップフィルム装置において、ラップフィルムの使用開始にあたり蓋体を開けて箱体からラップフィルムの先端を引出すとき、蓋体がそれ自体の弾性復元力により回動し切断刃と人手とが接触することを防止するための安全性構造を有するラップフィルム装置に関する。
【背景技術】
【０００２】
従来、家庭用の食品包装のためのラップフィルムのロールを箱体内に収容しラップフィルムの使用時に所定量のラップフィルムを箱体外へ人手により引出し、箱体に設けた切断刃により切断し使用可能とするラップフィルム装置が知られる。箱体は、箱前壁、後壁、底壁、対向する２つの端壁、及び上部開口を有する箱本体、並びに後壁の上辺に連結され上部開口を閉じることができる蓋体を含む。箱本体は、箱前壁の上辺に連結され箱本体内部をほぼ箱前壁に沿って下方へ伸長する箱副壁、箱本体から引出されたラップフィルムがロール上へ戻るのを防止する粘着層、及びラップフィルムの切断縁を箱本体の外面から離間させるフラップを有する。
【０００３】
蓋体は、上部開口を閉じるとき箱前壁の下方に位置され、箱本体から引出されたラップフィルムを切断する切断刃を含む。未使用のラップフィルムのロールは、ラップフィルムの先端部をロールから引出すためにロール外周面にガイドテープを備え、ラップフィルムの使用開始において、人手により箱本体の上部開口を開けガイドテープを摘んで引くことにより、ラップフィルムの先端部をロールから引出し、所定量のラップフィルムを箱体外へ引出すことができる。
【０００４】
特許文献１は、ロール状に巻かれたラップフィルム等の被包装物を収納する容器本体と、容器本体の後面部の頂縁から回動可能に連接された蓋体とを備える包装用容器を開示する。特許文献１の包装用容器は、蓋体を開けることなく使用中のラップフィルムの残量を確認することができるようにする目的で、容器本体又は蓋体の所定部分に、透視して内部を確認するための開口ないしはスリットからなる窓部を形成している。
【０００５】
特許文献２は、包装用フィルムに対する異物の付着を防止するとともに、引き出された包装用フィルムの先端を容易に認識可能とする包装用フィルム容器を開示する。この包装用フィルム容器は、ロール状に巻回された包装用フィルムを収容する容器本体と、容器本体の後面壁の頂縁を回動軸として容器本体に対して回動可能なように、頂縁に連設されている容器蓋部を有する。容器本体の前面壁部において保持面壁部が重なった部分には、容器本体の前面から突出する突出片と、突出片に接する切除部が設けられる。
【特許文献１】特開２０００−１４２６８３号公報
【特許文献２】特開２００５−１７８９０１号公報
【発明の開示】
【発明が解決しようとする課題】
【０００６】
ラップフィルムのロールを箱体内に収容しラップフィルムの使用時に適宜な量だけラップフィルムを箱体外へ人手により引出し、箱体に設けた切断刃により切断し使用することができるラップフィルム装置において、ラップフィルムの使用開始にあたり蓋体を回動して箱体を開けロール外周面に粘着したガイドテープを引いて箱体からラップフィルムの先端を引出すとき、蓋体が自体の弾性復元力により閉じる方向へ回動することにより切断刃と人手とが接触して人手に痛み又は傷を与える危険がある。本発明の目的は、そのような危険を防止する構造を備えたラップフィルム装置を提供することである。本発明のその他の目的、作用効果は、以下の説明において明らかにされる。
【課題を解決するための手段】
【０００７】
本発明のラップフィルム装置は、厚紙製の箱本体及び箱本体の上部開口を開放可能に閉じる厚紙製の蓋体を有する箱体、箱体内に収容されるラップフィルムのロール並びに箱体から引出されたラップフィルムを切断可能な切断刃を含む。本発明のラップフィルム装置において、前記箱本体は箱前壁、後壁及び底壁並びに対向する２つの端壁を有し、箱本体の上部開口は箱前壁及び後壁並びに対向する２つの端壁の各上辺によって囲まれる。前記蓋体は箱本体の後壁の上辺に折曲げ部を介し連接される天板、及び蓋体が閉位置にあるとき天板から箱前壁に平行に垂下する蓋前壁を有し、前記切断刃は蓋前壁の下辺に沿って刃先が配置される。前記折曲げ部は、端壁に平行な断面において、前記箱体の外側に凸部を有し箱体の内側に凹部を有する。即ち、前記箱体の外側へ向かって凸形状であるように型押しされたものである。なお、本発明において、『後』は、図１において、概略、箱本体に収容されたロールを基準にして折曲げ部４３（蓋体と後壁とを連接する）に近い側を指し、『前』は、その反対側を示す。また、『上』は、箱本体に収容されたロールを基準に、開口に近い側を指す。
【０００８】
本発明のラップフィルム装置は、次の構成を備えることができる。（１）前記蓋体の天板が上部開口を開ける方向へ箱本体後壁の延長面を越えて後方位置へ回動されたとき、蓋体天板が折曲げ部の弾性復元力により後方位置から上部開口を閉じる方向へ角度９０°以下、好ましくは７０°以下、更に好ましくは４５°以下だけ回動するように折曲げ部の凸部及び凹部が構成される。（２）前記折曲げ部は、溝を有する第１の型板と溝に対向する突条を有する第２の型板の間で厚紙を型押しすることにより製造される。厚紙は対向する溝と突条の間で型押しされればよい。（３）前記箱体を形成する厚紙は複数層から成り、箱体外面側の層が最も緻密である。（４）前記ラップフィルムは、塩化ビニリデン系重合体を原材料とするもの又はアルミフォイルである。その他、前記ラップフィルムの材料は、ポリ塩化ビニル、ポリエチレン、ポリメチルペンテン、ポリプロピレン等とすることができる。（５）前記蓋前壁の下辺に沿って配置される刃先は、前記蓋前壁の下辺の中央部付近に頂点を有するＶ字形のものである。（６）蓋体と後壁とを連接する折曲げ部以外の折曲げ部は、箱体の内側へ向かって凸部を有するように型押しされたものである。（７）箱体の組立て前に箱体の全ての折曲げ部が型押しにより形成される。
【発明の実施の態様】
【０００９】
添付の図面を参照し本発明の実施例を説明する。図面において、同様の部材には同じ符号を付し重複説明を省略する。図１は、本発明の実施例のラップフィルム装置１の使用開始時の斜視図、図５は、箱体を形成する厚紙の厚さを誇張して示す断面図であり、蓋体を後壁の延長面を超えて回動し上部開口を大きく開けた状態の折曲げ部の図解的拡大断面図である。ラップフィルム装置１は、厚紙製の箱本体３及び上部開口３８を開放可能に閉じる厚紙製の蓋体４を有する箱体２、箱体２内に収容されるラップフィルムのロール５並びに箱体２から引出されたラップフィルム３１を切断可能な切断刃２０を有する。ラップフィルム装置１は、また引出されたラップフィルムの切断縁を次回の引出しを容易にするため箱体表面から離間させる突出片３７を備える。
【００１０】
図１及び図５に示すように、箱本体３は、箱前壁１２、後壁１４及び底壁１３並びに対向する２つの端壁１５を有する。箱本体３の上部開口３８は、箱前壁１２及び後壁１４並びに対向する２つの端壁１５の各上辺によって囲まれている。蓋体４は、後壁１４の上辺に折曲げ部４３を介し連接される天板１７、及び蓋体４が閉位置にあるとき天板１７から箱前壁１２に平行に垂下する蓋前壁１８、２つの蓋端壁１９を有する。切断刃２０は、蓋前壁１８の下辺に沿って刃先２１が配置されるものである。前記折曲げ部４３は、端壁１５に平行な断面において、前記箱体２の外側に凸部（図５、４３１）を有し、箱体の内側に凹部（図５、４３２）を有するように型押しにより形成される。
【００１１】
図１及び図３は、蓋体４を折曲げ部４３のまわりに回動させ、上部開口３８を開口させた状態を示す。この状態でガイドテープ３５を人手により引出すことによりラップフィルムのロール５からラップフィルム３１の端縁３２を箱本体３の外へ引出し、次に図２に示すように所望の長さのラップフィルム３１を箱体２の外へ人手６１、６２により引張り出す。ラップフィルム３１が箱体２の外へ所望長さだけ引出されたとき、図４に示すように、上部開口３８を閉じる位置へ蓋体４を回動させ、蓋前壁１８の下辺に沿って取り付けた切断刃２０を箱前壁１２の前方に位置させ、ラップフィルム３１の箱前壁１２付近に位置する部分を切断刃２０の刃先２１に当てて切断する。切り離されたラップフィルムは食品等の所望の包装に使用される。刃先２１は、蓋前壁１８の下辺の中央部付近に頂点２２を有するＶ字形である
【００１２】
図３は、図１のラップフィルム装置の線Ｃ−Ｃに沿う拡大断面図である。ラップフィルムの端縁３２をそれに付着されたガイドテープ３５により引出すため、蓋体４は、箱体２の上部開口３８を開くように折曲げ部４３のまわりに角度Ｆ（図３）だけ回動される。即ち、ガイドテープ３５を人手により摘んで引出す使用開始においては、上部開口３８を大きく開けることが必要であり、天板１７は、折曲げ部４３のまわりに人手により後壁１４の延長面１６を超えて回動され、天板１７と後壁の延長面１６との間に角度Ｆが形成される。しかしながら、蓋体４の折曲げ部４３は、弾性を有する厚紙製であるためこの回動に反対向き、即ち蓋体４を角度Ｒ（図３）だけ閉鎖方向へ回動させる復元力を生じる。従来のラップフィルム装置においては、この復元力が大きいため、蓋体４が上部開口３８を遮るように回動され、切断刃２０と人手とが接触して人手に痛み又は傷を与える可能性があった。本願発明は、折曲げ部４３の構造を改良し、蓋体４（天板１７）に作用する復元力を小さくすることによりこの問題を解決しようとするものである。
【００１３】
図５は、箱体２を構成する厚紙の厚さを誇張して示す箱体２の断面図であり、蓋体４を後壁１４の延長面１６を超えて折曲げ部４３のまわりに角度Ｆだけ回動させ上部開口３８を大きく開けた状態の拡大断面図である。図５に示すように、後壁１４と天板１７との連設部である折曲げ部４３は、端壁１５（図１）に平行な断面（図５の紙面に平行な断面）において、箱体２の外側に凸部４３１を有するように、即ち外へ向かって突出するるように型押しされた構造を有する。箱本体３又は蓋体４の他の折曲げ部４１、４２、４４は、箱体２の内側に凸部４１１、４２１、４４１を有するように、即ち内側へ向かって突出するように型押しされた構造を有する。折曲げ部４３は、箱体内側に凹部４３２を有し、他の折曲げ部４１、４２、４４は、箱体外側に凹部４１２、４２２、４４２を有する。
【００１４】
図５の実施例において、折曲げ部４３は、箱体２の外側に凸部４３１を有し、箱体内側に凹部４３２を有するように型押しされた構造を有する。この構造により、蓋体４の天板１７が上部開口３８を開放する方向へ後壁１４の延長面１６を越えて角度Ｆだけ回動されたとき、折曲げ部４３に塑性変形が生じる。それにより、折曲げ部４３の弾性復元力により回動された位置から上部開口を閉じる方向へ復元する角度Ｒ（図３）を９０°以下、好ましくは７０°以下、更に好ましくは４５°以下とすることができる。復元力により回動する角度Ｒが小さいほど、切断刃２０と人手とが接触して人手に痛み又は傷を生じる危険が減少される。
【００１５】
即ち、折曲げ部４３は、箱体の外側に凸部４３１を有すると共に箱体の内側に凹部４３２を有する、即ち、箱体の外方へ突出する（図５）。この構造において、蓋体４の天板１７が上部開口３８を開ける方向へ後壁１４の延長面１６を越えて角度Ｆ（図３）回動されたとき、折曲げ部４３による蓋４自体の復元力、即ち回動された位置から上部開口を閉じる方向へ回動する角度Ｒ（図３）は、９０°以下となる。それ故、蓋体４の天板１７が上部開口３８を開ける方向へ後壁１４の延長面１６を越えて角度Ｆ＝９０°（図３）を超えて回動されると、折曲げ部４３の弾性復元力による天板１７の戻りは、後壁１４の延長面１６を越えた範囲に留まり、刃先２１に触れることなく、安全にガイドテープ３５及びそれに粘着されたラップフィルムの端縁３２を上部開口３８から箱体外へ引出すことができる。
【００１６】
折曲げ部４３が箱体２の外側に凸部４３１を有すると共に内側に凹部４３２を有する、即ち箱体の外側へ向かって突出する形状であることにより、折曲げ部４３の弾性復元力が小さくなる理由は、次のように考えられる。箱体を形成する厚紙の繊維は、引張りに対し抵抗力が大きく塑性変形を生じ難いのに対し、圧縮に対しては塑性変形を生じ易い性質を有する。図５に示す折曲げ部４３は、蓋体４が後壁１４の延長面１６を越えて（図５の角度Ｆだけ）回動することにより、箱体内側の凹部４３２は、引張り力が作用するため本来は塑性変形が少なく大きな復元力が発生するが、凹部であるため元々圧縮力が作用している。そこに圧縮力を緩和する引張力が作用することから、大きな復元力は発生せず、そして箱体外側の凸部４３１は圧縮力により塑性変形が生じるため弾性復元力が小さくなり、その結果、折曲げ部４３全体の弾性復元力が小さくなると考えられる。
【００１７】
これに対し折曲げ部が箱体内側に向かって凸部を有し箱体外側に凹部を有する従来形状（図５、後壁１４と底壁１３の間の折曲げ部４２と同形状）の場合は、箱体内側の凸部が引張り力に抗し塑性変形が少なく且つ元々引張力が作用していることから、より大きな復元力を生じる。箱体外側の凹部は圧縮力を受け塑性変形し弾性復元力は小さいが、折曲げ部の合計の弾性復元力は大きなものとなる。それ故、折曲げ部４３が折曲げ部４２のように箱体内側に向かって突出する場合、そのような折曲げ部の復元力による天板１７の回動角度Ｒは、後壁１４の延長面１６を越える範囲に留まらず、天板１７及び刃先２１を上部開口３８に近づけ、切断刃２０と人手とが接触する程度に大きくなる。
【００１８】
図６は、厚紙製の箱体の折曲げ部の一方の側に凸部を形成し他方の側に凹部を形成する工程中の型押し工具及び箱体の内側となる厚紙面を上部とした厚紙の部分断面図である。図６において、第１の型板８０は、溝８１及び突条８２を有し、第２の型板９０は、溝８１に対向する突条９１及び突条８２に対向する凹部９２を有する。第２の型板９０と第１の型板８０の間に厚紙を置き両者を所定の圧縮力で圧縮することにより、厚紙の所定位置に凸部４２１、４３１、凹部４２２、４３２がそれぞれ形成される。第１の型板８０と第２の型板９０は、例えば、一方を上、他方を下とする配置、又は水平対向（厚紙が垂直方向となる）とすることができる。凸部４３１と凹部４３２は、折曲げ部４３とされ、凸部４２１と凹部４２２は、折曲げ部４２とされる。折曲げ部４３と折曲げ部４２の間の厚紙部分は、後壁１４とされる。蓋体と後壁との間の折曲げ部４３以外の折曲げ部４１、４２、４４等は、箱体の内側へ向かって凸部を有するように型押しされたものとすることができる。また箱体の全ての折曲げ部を箱体を組立てる前に単一工程で形成するのが好都合である。
【図面の簡単な説明】
【００１９】
【図１】本発明の実施例のラップフィルム装置の使用開始時の斜視図。
【図２】図１のラップフィルム装置の使用中の斜視図。
【図３】図１のラップフィルム装置の矢印Ｃ−Ｃに沿う拡大断面図。
【図４】ラップフィルムを切断するため蓋体を回動中の状態を示す図３と同様の断面図。
【図５】蓋体が後壁の延長面を超えて回動された状態の箱体の図解的拡大断面図。
【図６】厚紙製の箱体の折曲げ部の一方の面に凸部を形成し他方の面に凹部を形成する工程中の型押し工具及び厚紙の断面図である。
【符号の説明】
【００２０】
１：ラップフィルム装置、２：箱体、３：箱本体、４：蓋体、５：ロール、１１：箱副壁、１２：箱前壁、１３：底壁、１４：後壁、１５：端壁、１６：後壁１４の延長面、１７：天板、１８：蓋前壁、１９：蓋端壁、２０：切断刃、２１：刃先、２２：頂点、３１：ラップフィルム、３２：端縁、３５：ガイドテープ、３７：突出片、３８：上部開口、４０−４４：折曲げ部、８０：第１の型板、８１、９２：溝、８２、９１：突条、９０：第２の型板、４１１、４２１、４３１、４４１：凸部、４１２、４２２、４３２、４４２：凹部、Ｆ：延長面を超えて回動される角度、Ｒ：復元力により回動する角度。
【図１】
2007254027.tif 000003
【図２】
2007254027.tif 000004
【図３】
2007254027.tif 000005
【図４】
2007254027.tif 000006
【図５】
2007254027.tif 000007
【図６】
2007254027.tif 000008